(57)【要約】【課題】  仮舗装を行うことなく、自動車等の通行が一時的に行え、しかも作業や資源の無駄を無くし、また環境面でも優れたマンホール改修工法を提供する。【解決手段】  道路における既設のマンホール枠５の周囲を切断する工程と、前記マンホール枠５周囲の切断した道路部分とマンホール枠５およびその蓋６を撤去する工程と、該撤去後に形成された空間部Ｓに複数の円板状等の落し込み部材８Ａ・８Ｂ・８Ｃを積み上げて最上部の落し込み部材８Ａの上面８ａと隣り合う道路７の上面７ａとを面一にする工程とを含むことを特徴とし、道路における自動車等の通行を一時的に可能とする。【選択図】  図４
2009024445.tif 000002
【特許請求の範囲】
【請求項１】
道路における既設のマンホール枠の周囲を切断する工程と、前記マンホール枠周囲の切断した道路部分とマンホール枠およびその蓋を撤去する工程と、該撤去後に形成された空間部に複数の落し込み部材を積み上げて最上部の落し込み部材の上面と隣り合う道路上面とを面一にする工程とを含む、マンホールの改修工法。
【請求項２】
落し込み部材の上面と隣り合う道路上面とを面一にする工程の後、最上部の落し込み部材を撤去してその下側の落し込み部材の上面と隣り合う道路上面とが面一になるように道路上部を切削する工程と、該切削後に道路上面および落し込み部材の上面にオーバーレイ層を形成する工程と、前記落し込み部材の外径に沿ってオーバーレイ層を切断する工程と、切断した落し込み部材上側のオーバーレイ層と全ての落し込み部材を撤去する工程と、該撤去後の空間にマンホール枠および蓋を設置すると共にマンホール枠をアンカーボルトを介して下枡に固定する工程と、マンホール枠周囲の空間に舗装材等を打設する工程とを含む、請求項１記載のマンホールの改修工法。
【請求項３】
道路における既設のマンホール枠の周囲を切断する工程では、道路を円形に切断し、落し込み部材が略円板状であって、外形がマンホール枠周囲の切断外形に対応している、請求項１または請求項２記載のマンホールの改修工法。
【請求項４】
マンホール枠および蓋を設置する工程において、リング状の主体と主体を支持する複数の脚体と脚体にネジ嵌合された軸の下端に取り付けられて高さ調整が可能とされた接地板と主体から垂下状に設けられ、マンホール枠を保持するマンホール枠支持部とを有するマンホール枠設置具を用い、マンホール枠支持部にマンホール枠を保持させると共に該マンホール枠の上縁と接地板の高さ位置を同じとした後、マンホール枠における接地板を道路上面にのせることで該道路上面とマンホール枠の上縁との高さ位置を同じにすることを特徴とする、請求項１〜請求項３のうちのいずれか一項記載のマンホールの改修工法。
【発明の詳細な説明】
【技術分野】
【０００１】
本発明は、道路におけるマンホールの改修工法に関する。
【背景技術】
【０００２】
道路におけるマンホール蓋および枠並びにその周囲の舗装が長年の自動車の通行等によって老朽化すると、自動車やバイク等の円滑な通行が行えなくなることから、マンホール蓋および枠の取替えを行うと共にその周辺の舗装の改修工事を行う必要がある。
【０００３】
従来、この種工事としては、既設のマンホール枠の周囲を円形に切断し、その切断内側における舗装並びにマンホールの蓋および枠をすべて撤去した後、該撤去後に露出したマンホールの開口部に支持蓋を装着した上、前記撤去後の空間に舗装材を打設して一時的に自動車等の通行を可能とした後、前記舗装材の打設部分を再び円形に切断してその内側部分を撤去し、次に、マンホールの下枡部分に据付基礎を構築し、据付基礎上にマンホール枠および蓋を設置すると共に、マンホール枠の周囲に仕上げの舗装材を打設する工法が知られている。
【特許文献１】特許第２６２３４９１号公報
【発明の開示】
【発明が解決しようとする課題】
【０００４】
前述した工法の場合、既設のマンホール蓋および枠、並びにその周囲の舗装を撤去した後、一時的に自動車等の通行を可能とするために、仕上げの舗装前に仮舗装を行わなければならず、二度の舗装が必要になると共に、仮舗装の撤去後においては、該仮舗装を適当な大きさに破砕して廃棄しなければならず、作業面でも資源・環境面でも無駄が多いという問題があった。
【０００５】
本発明の目的は、仮舗装を行うことなく、自動車等の通行が一時的に行え、しかも作業や資源の無駄を無くし、また環境面でも優れたマンホールの改修工法を提供することにある。
【課題を解決するための手段】
【０００６】
請求項１記載の本発明は、道路における既設のマンホール枠の周囲を切断する工程と、前記マンホール枠周囲の切断した道路部分とマンホール枠およびその蓋を撤去する工程と、該撤去後に形成された空間部に複数の落し込み部材を積み上げて最上部の落し込み部材の上面と隣り合う道路上面とを面一にする工程とを含むことを特徴とするマンホールの改修工法である。
【０００７】
請求項２記載の本発明は、前記請求項１記載のマンホールの改修工法について、落し込み部材の上面と隣り合う道路面とを面一にする工程の後、最上部の落し込み部材を撤去してその下側の落し込み部材の上面と隣り合う道路上面とが面一になるように道路上部を切削する工程と、該切削後に道路上面および落し込み部材の上面にオーバーレイ層を形成する工程と、前記落し込み部材の外径に沿ってオーバーレイ層を切断する工程と、切断した落し込み部材上側のオーバーレイ層と全ての落し込み部材を撤去する工程と、該撤去後の空間にマンホール枠および蓋を設置すると共に、マンホール枠をアンカーボルトを介して下枡に固定する工程と、マンホール枠周囲の空間に舗装材等を打設する工程とを含むことを特徴とするものである。なお、本明細書における改修工法においては、マンホールの枠およびその蓋は、一旦撤去された既設のものを再利用して用いる場合もあるし、既設のマンホール枠およびその蓋を廃棄して新たな枠および蓋を用いる場合もある。
【０００８】
請求項３記載の本発明は、前記請求項１または請求項２記載のマンホールの改修工法について、道路における既設のマンホール枠の周囲を切断する工程では、道路を円形に切断し、落し込み部材が略円板状であって、外形がマンホール枠周囲の切断外形に対応していることを特徴とするものである。
【０００９】
請求項４記載の本発明は、前記請求項１〜請求項３のうちのいずれか一項記載のマンホールの改修工法について、マンホール枠および蓋を設置する工程において、リング状の主体と主体を支持する複数の脚体と脚体にネジ嵌合された軸の下端に取り付けられて高さ調整が可能とされた接地板と主体から垂下状に設けられ、マンホール枠を保持するマンホール枠支持部とを有するマンホール枠設置具を用い、マンホール枠支持部にマンホール枠を保持させると共に該マンホール枠の上縁と接地板の高さ位置を同じとした後、マンホール枠設置具における接地板を道路上面にのせることで該道路上面とマンホール枠の上縁との高さ位置を同じにすることを特徴とするものである。
【発明の効果】
【００１０】
本発明に係るマンホールの改修工法は、道路における既設のマンホール枠の周囲を切断する工程と前記マンホール枠周囲の切断した道路部分とマンホール枠およびその蓋を撤去する工程の後において、該撤去後に形成された空間部に複数の落し込み部材を積み上げて該落し込み部材の上面と道路上面とを面一にする工程を含むものであるため、前記落し込み部材によって、自動車等の一時的な通行が可能となる。したがって、従来のように、自動車等の一時的な通行を可能とするために、仮舗装を行ったり、該仮舗装後において、マンホール枠および蓋の取換えを行うにあたり、仮舗装を撤去すると共に、撤去した仮舗装を破砕して廃棄するといったことが一切不要となるため、作業面、資源面および環境面でも従来の工法に比べて優れている。
【００１１】
また、請求項３記載の工法は、道路における既設のマンホール枠の周囲を切断する工程において、道路を円形に切断し、落し込み部材が略円板状であって、外形がマンホール枠周囲の切断外形に対応しているため、既設のマンホール枠周囲の道路を四角形に切断する場合に比べて切断作業が早く行え、また該切断後の既設の舗装の廃棄量およびマンホール枠および蓋の設置後のその周囲の新たな舗装材等の量も少なくて済み、これが前述した効果と相俟って、作業面、資源面および環境面でも更に有利となる。
【００１２】
この他、請求項４記載の工法では、マンホール枠設置具に、設置しようとするマンホール枠を保持させ、その上縁と接地板との高さ位置を予め同じとなるように調整しておけば、マンホール枠設置具の接地板を道路に当接させてマンホール枠設置具を道路に置くだけで該道路の上面とマンホール枠設置具に保持されたマンホール枠の上縁との高さ位置（レベル）が一致することとなるため、みず糸等を用いた従来の面倒なレベル調整作業が一切不要となる。
【発明を実施するための最良の形態】
【００１３】
次に、本発明に係るマンホールの改修工法の実施形態を図面にしたがって説明するが、本発明は係る実施形態に限定されるものではない。
【００１４】
図１に示すように、先ずマンホールの構造について説明すると、１は砕石等で構成された下層路盤、２がマンホール、３はマンホール２の周囲に設けられた円筒状の下枡、４は下枡３上に形成された据付基礎、５は据付基礎４上に設けられたマンホール枠、６はマンホール枠５の上部開口を閉止するマンホール蓋、７は下層路盤１上に形成された舗装路盤を示す。
【００１５】
次に、前記構造のマンホール２の改修工法について述べると、先ず図１に示すように、マンホール枠５の周囲の舗装路盤７を平面から見て円形、断面おわん状に切断１０した後、図２に示すように、マンホール枠５および蓋６並びに据付基礎４を含めて前記切断部分の内側全体を撤去する。その後、図３および図４に示すように、撤去した部分に対して、その空間Ｓに合うように予め形造られた３枚の円板状鉄製落し込み部材８Ａ・８Ｂ・８Ｃを積み重ねた状態で嵌め入れる。その結果、空間Ｓはこの３枚の落し込み部材８Ａ・８Ｂ・８Ｃで塞がれると共に、最上部の落し込み部材８Ａと舗装路盤７の上面７ａとが面一の状態となる。したがって、この状態で自動車等の通行が一時的に可能となる。なお、落し込み部材８Ａ・８Ｂ・８Ｃには、これらを懸吊機械（図示略）で吊り上げるための掛合部３０が設けられている。
【００１６】
次に、図５に示すように、最上部の落し込み部材８Ａだけを撤去した後、図６に示すように、２番目の落し込み部材８Ｂの上面８ｂと舗装路盤７の上面７ａとが面一となるように、舗装路盤７の上層部を切削する。その後、図７に示すように、前記切削後の舗装路盤７上にオーバーレイ層（新舗装）９を形成し、次に、図８に示すように、２番目の落し込み部材８Ｂの外径に沿ってオーバーレイ層９に平面から見て円形で断面円弧状の切込み１１を入れ、その後、図９に示すように、切り込み１１の内側のオーバーレイ層９ａとその下側の落し込み部材８Ｂ・８Ｃを撤去する。
【００１７】
次に、後述するマンホール枠の設置器具を用いたマンホール枠および蓋の設置要領について説明すると、図１０および図１１に示すように、マンホール枠の設置器具１２は、リング状の主体１３と、該主体の円周方向に等間隔をあけて設けられた３本の脚体１４と、主体１３の円周における対向位置に垂下状に形成されたマンホール枠支持部１５と、吊上げ用ロープ（図示略）の締結部３１とを有する。脚体１４はリング状の主体１３の上縁から斜め下方に伸びる形状となされ、その先端の水平部１４ａには、下端に接地板１６が一体に設けられた蝶ネジ１７がネジ嵌合されている。マンホール枠支持部１５は全体が縦長の板状であって、その外面下端寄り部分にはマンホール枠を係止する爪部１８が突設されている。
【００１８】
前述した構造のマンホール枠の設置器具１２を用いてマンホール枠および蓋を設置するにあたっては、図１２に示すように、マンホール枠の設置器具１２におけるマンホール枠支持部１５の爪部１８にマンホール枠２１の下面内縁を係止させた状態とし、次に、マンホール枠２１の上縁２１ａと蝶ネジ１７の接地板１６とが同じ高さ位置となるように各蝶ネジ１７を回してレベル調整をしておく。
【００１９】
そして、このレベル調整後において、図１２に示すように、マンホール枠の設置器具１２の締結部３１にロープ３２を結んでマンホール枠２１と共に設置器具１２を懸吊用機械（図示略）によって吊り上げ、次に、図１３に示すように、オーバーレイ層９の周縁部にマンホール枠設置器具１２の脚体１４における蝶ネジ１７の接地板１６を置くだけで、前述したように、接地板１６とマンホール枠２１の上縁２１のレベル（高さ位置）は予め一致しているため、オーバーレイ層９の上面９ａとマンホール枠２１の上縁２１ａとのレベルが合うこととなる。なお、マンホール２の下枡３上には予め所定高さのスペーサー３３が設置され、スペーサー３３上に前記マンホール枠２１が着座する。その後、マンホール枠２１は、複数のアンカーボルト３４によって下枡３上に固定される。
【００２０】
そして、最終的には図１４に示すように、マンホール枠設置器具１２の撤去後において、マンホール枠２１とオーバーレイ層９および舗装路盤７との間にモルタル類２２および仕上げ舗装材２３を流し込み、仕上げ舗装材２３に転圧を施すことでマンホール枠２１の取替えが終了し、またマンホール枠２１に蓋２４を嵌め入れることで当該工事が完了する。
【産業上の利用可能性】
【００２１】
本発明の工法によれば、マンホールの枠および蓋の取替えが効率的に行え、しかも資源面や環境面でも優れているため、幅広い利用が期待できる。
【図面の簡単な説明】
【００２２】
【図１】マンホールにおける枠周囲の道路を切断した状態を示す端面図である。
【図２】マンホールにおける枠および蓋等を撤去した状態を示す端面図である。
【図３】落し込み部材の斜視図である。
【図４】マンホールに落し込み部材を嵌め込んだ状態を示す端面図である。
【図５】最上部の落し込み部材を撤去した状態の端面図である。
【図６】マンホール周囲の道路を切削した状態の端面図である。
【図７】道路切削後における落し込み部材および道路の上側にオーバーレイ層を形成した状態を示す端面図である。
【図８】落し込み部材の外形に沿ってオーバーレイ層を切断した状態を示す端面図である。
【図９】落し込み部材およびその上側のオーバーレイ層を撤去した状態を示す端面図である。
【図１０】マンホール枠設置具の斜視図である。
【図１１】マンホール枠設置具の平面図である。
【図１２】マンホール枠設置具にマンホール枠が保持された状態を示す正面図である。
【図１３】マンホール枠設置具を用いてマンホール枠をセットした状態を示す端面図である。
【図１４】マンホール枠および蓋の取替え後の状態を示す端面図である。
【符号の説明】
【００２３】
２  マンホール
５  マンホール枠
６  マンホール蓋
８Ａ・８Ｂ・８Ｃ  落し込み部材
９  オーバーレイ層
１０  マンホール周囲の切断部
１２  マンホール枠設置具
【図１】
2009024445.tif 000003
【図２】
2009024445.tif 000004
【図３】
2009024445.tif 000005
【図４】
2009024445.tif 000006
【図５】
2009024445.tif 000007
【図６】
2009024445.tif 000008
【図７】
2009024445.tif 000009
【図８】
2009024445.tif 000010
【図９】
2009024445.tif 000011
【図１０】
2009024445.tif 000012
【図１１】
2009024445.tif 000013
【図１２】
2009024445.tif 000014
【図１３】
2009024445.tif 000015
【図１４】
2009024445.tif 000016